(57)【要約】【課題】荷室を覆い隠す機能を向上させたトノカバーのプルハンドル構造を提供する。【解決手段】トノカバー３の開口６をポケット部１０で塞いだため、開口６から荷室Ｒの内部が見えない。開口６をポケット部１０で塞いでも、ポケット部１０内に手先を挿入して、トノカバー３を引き出すことができる。【選択図】　　　　図３
2004090684.tif 000002
【特許請求の範囲】
【請求項１】
荷室の前方から後方へ引き出されて荷室を覆うトノカバーの後端部に、引き出し操作用の開口を形成したトノカバーのプルハンドル構造であって、
前記開口を、手先が挿入可能な深さを有するポケット部で塞いだことを特徴とするトノカバーのプルハンドル構造。
【請求項２】
請求項１記載のトノカバーのプルハンドル構造であって、
ポケット部の後壁に手先を挿入可能な切欠部を形成したことを特徴とするトノカバーのプルハンドル構造。
【請求項３】
請求項１記載のトノカバーのプルハンドル構造であって、
ポケット部の後壁を別部材で形成し、該後壁をヒンジを中心に後側へ開閉自在にしたことを特徴とするトノカバーのプルハンドル構造。
【請求項４】
請求項３記載のトノカバーのプルハンドル構造であって、
ポケット部の後壁を、閉じる方向へ付勢したことを特徴とするトノカバーのプルハンドル構造。
【発明の詳細な説明】
【０００１】
【発明の属する技術分野】
この発明はトノカバーのプルハンドル構造に関するものである。
【０００２】
【従来の技術】
ハッチバック等の自動車においては、リヤシートの後方に形成された荷室に、リヤシート後面に設置されたケースから後側へ向けて引き出し自在なトノカバーが設けられている。トノカバーはケースの内部に巻取方向へ付勢された状態で収納され、必要時に、トノカバーの後端部に形成された開口に手先を入れて後方へ引き出し、トノカバーの左右両端から突出したフックを車体側の凹部に係止させて、引き出し状態を保持するようになっている。そして、引き出されたトノカバーにより、荷室を覆い隠すことができる（類似技術として、特開２０００−２８９５２９号公報参照）。
【０００３】
【発明が解決しようとする課題】
しかしながら、このような従来の技術にあっては、トノカバーの後端部に開口が形成されているため、この開口から荷室の内部が見えてしまい、トノカバー本来の荷室を覆い隠す機能が阻害される。
【０００４】
この発明は、このような従来の技術に着目してなされたものであり、荷室を覆い隠す機能を向上させたトノカバーのプルハンドル構造を提供するものである。
【０００５】
【課題を解決するための手段】
請求項１記載の発明は、荷室の前方から後方へ引き出されて荷室を覆うトノカバーの後端部に、引き出し操作用の開口を形成したトノカバーのプルハンドル構造であって、前記開口を、手先が挿入可能な深さを有するポケット部で塞いだことを特徴とする。
【０００６】
請求項１記載の発明によれば、トノカバーに形成した開口をポケット部で塞いだため、開口から荷室の内部が見えず、トノカバーの荷室を覆い隠す機能が向上する。開口をポケット部で塞いでも、ポケット部内に手先を挿入して、トノカバーを引き出すことができる。
【０００７】
請求項２記載の発明は、ポケット部の後壁に手先を挿入可能な切欠部を形成したことを特徴とする。
【０００８】
請求項２記載の発明によれば、ポケット部の後壁に手先を挿入可能な切欠部を形成したため、ポケット部内に挿入した手を更に切欠部内に回し込み、ポケット部の後側部分を確実につかんで、トノカバーを引き出すことができる。ポケット部の後壁に切欠部を形成しても、その他の部分により、荷室後方からの視線を遮ることができるため、荷室を覆い隠す機能が向上することに変わりはない。
【０００９】
請求項３記載の発明は、ポケット部の後壁を別部材で形成し、該後壁をヒンジを中心に後側へ開閉自在にしたことを特徴とする。
【００１０】
請求項３記載の発明によれば、ポケット部の後壁を後側へ開閉自在にしたため、ポケット部内に挿入した手先で後壁を後側へ開くことにより、ポケット部の後側部分を確実につかんで、トノカバーを引き出すことができる。引き出し後に、後壁を元に戻せば、開口がポケット部により完全に塞がれる。
【００１１】
請求項４記載の発明は、ポケット部の後壁を、閉じる方向へ付勢したことを特徴とする。
【００１２】
請求項４記載の発明によれば、引き出し操作後に、ポケット部の後壁が自動的に閉じるため、操作性が良い。
【００１３】
【発明の実施の形態】
以下、この発明の好適な実施形態を図面に基づいて説明する。
【００１４】
図１〜図３は、この発明の第１実施形態を示す図である。自動車のリヤシート１の後方には荷室Ｒが形成されている。リヤシート１の後面には車幅方向に長いケース２が設置され、このケース２内にトノカバー３が巻取方向に回転付勢された状態で収納されている。
【００１５】
トノカバー３は、基本的に布製だが、後端部だけは樹脂製のボード部４で形成されている。ケース２内に巻き取られるのは布製部分だけで、ボード部４は下方へ垂らした状態で収納される。ボード部４の前端には左右に突出したフック５が形成されている。このフック５は、トノカバー３が引き出された時に、荷室Ｒの側壁上部に形成された図示せぬ凹部に係止され、トノカバー３の引き出し状態を保持する。硬質のボード部４は荷室Ｒの側壁上部に形成された図示せぬ段部上に載せられて水平保持される。
【００１６】
ボード部４の後端部には、引き出し操作用の開口６が形成されている。この開口６は、アッパキャップ７とロアキャップ８により上下で挟まれている。ロアキャップ８にはボード部４の開口６に相応する開口９が形成され、アッパキャップ７には、ボード部４及びロアキャップ８の開口６、９を貫通して下方へ突出するポケット部１０が凹設されている。
【００１７】
アッパキャップ７の前端からは３つのボス部１１がボード部４を貫通した状態で下向きに形成され、そこにロアキャップ８に通したネジ１２が螺合される。このボス部１１とネジ１２により、アッパキャップ７とロアキャップ８の前端同士は結合される。アッパキャップ７とロアキャップ８の後端同士は、アッパキャップ７の回し込んだ端部１３を、ロアキャップ８の段部１４に係合させることで結合している。
【００１８】
ポケット部１０は、操作者の手先を挿入可能な深さを有し、後壁１５はポケット部１０内に入れた手を掛けやすいように垂直に形成され、その前側は手を入れる際のガイドとなるように断面湾曲状になっている。従って、操作者は荷室Ｒの後側から手を伸ばし、ケース２の下方に垂れた状態で収納されているボード部４のポケット部１０に手を入れ、ポケット部１０の後壁１５と、ポケット部１０の後側部分を、手でつかむことにより、トノカバー３をケース２から後方へ引き出して、荷室Ｒの上方を覆うことができる。
【００１９】
荷室Ｒの上方を覆ったトノカバー３の開口６は、ポケット部１０にて塞がれているため、荷室Ｒの後方からの視線を遮ることができ、開口６から荷室Ｒの内部が見えるのを防止する。従って、荷室Ｒの内部が見えないため、見映えが良いだけでなく、防盗性の面からも好ましい。
【００２０】
図４は、この発明の第２実施形態を示す図である。この第２実施形態に係るポケット部１６では、後壁１５に手先を挿入可能な切欠部１７を形成したものである。切欠部１７は後壁１５の上部だけを残し、その下方を全て切欠いた状態になっている。切欠部１７の上端１７ａは断面が丸く面取りされた形状になっており、後端１７ｂも下方へ曲折した状態で、断面が丸く面取りされた形状になっている。
【００２１】
このようにすることにより、ポケット部１６内に入れた手を、更に切欠部１７から後方へ回し込んで、ポケット部１６の後側部分をより確実につかむことができる。また、手を切欠部１７内に入れてつかんでも、上端１７ａ及び下端１７ｂの断面が丸く端末処理されているため痛くない。
【００２２】
そして、このようにポケット部１６の後壁１５に切欠部１７を形成しても、その他の部分により、荷室Ｒの後方からの視線を遮ることができるため、荷室Ｒを覆い隠す機能に実質的な変化はない。つまり、荷室Ｒの内部が覗けるのは後方からだけで、仮に、車体の横に回り込んでサイドウインドウ辺りの斜め前方より切欠部１７内を覗こうとしても、切欠部１７から見えるのはバックドア（図示せず）だけで、後方からの視線を遮ることができれば、実質的に荷室Ｒの内部を見ることは不可能となる。
【００２３】
図５は、この発明の第３実施形態を示す図である。この第３実施形態に係るポケット部１８では、ポケット部１８の後壁１９を別部材で形成し、この後壁１９を上端のヒンジ２０を中心に後側へ開閉自在にした。また、ヒンジ２０内には図示せぬ巻きバネが設けられ、後壁１９を常に閉じる方向へ付勢している。
【００２４】
この第３実施形態によれば、後壁１９が閉じられたポケット部１８により、開口６が完全に塞がれるため、開口６から荷室Ｒの内部が全く見えなくなる。また、トノカバー３の引き出し操作時には、ポケット部１８内に入れた手で後壁１９を後側へ開き、ポケット部１８の後側部分を確実につかむことができるため、トノカバー３の引き出し操作が容易である。また、後側へ開いた後壁１９に手先が接するため、ポケット部１８の後側部分を握った場合の感触も良い。加えて、引き出し操作後に、ポケット部１８の後壁１９が自動的に閉じるため、わざわざ後壁１９を閉じる必要がなく、操作性も良い。
【００２５】
前記実施形態において、後壁１９を開閉自在にするためのヒンジ２０は、後壁１９の上端に設けるとして説明したが、これに限定されるものではなく、後壁１９の下端に設けても良い。
【００２６】
【発明の効果】
この発明によれば、トノカバーに形成した開口をポケット部で塞いだため、開口から荷室の内部が見えず、トノカバーの荷室を覆い隠す機能が向上する。開口をポケット部で塞いでも、ポケット部内に手先を挿入して、トノカバーを引き出すことができる。
【図面の簡単な説明】
【図１】第１実施形態のトノカバーを示す斜視図。
【図２】ポケット部を示す拡大斜視図。
【図３】ポケット部を示す断面図。
【図４】第２実施形態のポケット部を示す断面図。
【図５】第３実施形態のポケット部を示す断面図。
【符号の説明】
１　リヤシート
３　トノカバー
６　開口
１０、１６、１８　ポケット部
１７　切欠部
１９　後壁
Ｒ　荷室
【図１】
2004090684.tif 000003
【図２】
2004090684.tif 000004
【図３】
2004090684.tif 000005
【図４】
2004090684.tif 000006
【図５】
2004090684.tif 000007